(57)【要約】【課題】フレキシブル基板の浮き上がりを抑えることによって、フレキシブル基板の回線の断線を防ぐことが可能な液晶表示モジュールを提供する。【解決手段】液晶表示モジュールは、メイン液晶表示パネル（以下、メインＬＣＤと称す。）とサブＬＣＤ３とが接続されたフレキシブル基板（以下、ＦＰＣ基板と称す。）と、バックライトが収納されたケース１１とを備える。メインＬＣＤをケース１１の裏面に係止し、ＦＰＣ基板１の接続部５ａをケース１１の端面に沿わせながら折り返し、ケース１１の保持枠１２がＦＰＣ基板の開口６内に位置するようにＦＰＣ基板をケース１１の表面に合わせながら、サブＬＣＤ３を保持枠１２に嵌め込む。そして、ＦＰＣ基板の係止片７を保持枠１２の切り欠き１３へと押し込んで係止させると、開口６の縁部９近辺であるＦＰＣ基板のＳ部はケース１１の表面に密着するので、ＦＰＣ基板のＳ部の浮き上がりを抑えることができる。【選択図】図４
2006276613.tif 000002
【特許請求の範囲】
【請求項１】
バックライトが収納されたケースの一方の面にフレキシブル基板の端部が係止され、前記フレキシブル基板を折り返して前記フレキシブル基板を前記ケースの他方の面に合わせ、前記フレキシブル基板に接続されるとともに前記フレキシブル基板に形成された開口に配置された液晶表示パネルが前記ケースの他方の面に設けられた保持枠に保持された状態で、電子機器に実装される液晶表示モジュールにおいて、
前記保持枠の前記フレキシブル基板の折り返し側には、前記フレキシブル基板の開口の縁部を係止する係止部が形成されたことを特徴とする液晶表示モジュール。
【請求項２】
前記係止部は、前記保持枠に形成された切り欠きであり、
前記フレキシブル基板の開口の縁部には、前記切り欠きに係止される係止片が形成されたことを特徴とする請求項１に記載の液晶表示モジュール。
【請求項３】
前記フレキシブル基板の端部には他の液晶表示パネルが接続され、この他の液晶表示パネルが前記ケースの一方の面に係止されたことを特徴とする請求項１または２に記載の液晶表示モジュール。
【発明の詳細な説明】
【技術分野】
【０００１】
本発明は、携帯電話機などの携帯型小型電子機器に実装される液晶表示モジュールに関する。
【背景技術】
【０００２】
携帯電話機などの携帯型小型電子機器の表示装置には、軽量、低消費電力が要求され、このような特徴を有する液晶表示パネルが広く用いられている。この携帯型小型電子機器には、暗所での視認性を確保するために液晶表示パネルの背面にバックライトを備えた装置が通常設けられるが、携帯型小型電子機器の小型化に伴って、表示装置にもバックライトを備えた装置を含めた液晶表示モジュール全体についての薄型化が求められている。
【０００３】
そこで、液晶表示パネルが接続されたフレキシブル基板に必要な電子部品を表面実装するとともに、液晶表示パネルをバックライトが収納されたケースの表面に固定し、液晶表示パネルから延出したフレキシブル基板の部分を折り曲げてケースに固定する従来例が特許文献１に記載されている。バックライトが収納されたケースの両表面に液晶表示パネルが接続されたフレキシブル基板を折り曲げて固定する構成により、液晶表示モジュールの薄型化を実現することができる。
【０００４】
このような薄型化された液晶表示モジュールの別の従来例を図８および図９に示す。図８は従来の液晶表示モジュールの分解斜視図であり、図９（ａ）は従来の液晶表示モジュールの正面側斜視図、（ｂ）は右側面図である。図８および図９に示すように、液晶表示モジュール２０は、中央に矩形状の開口２４が形成されたフレキシブル基板２１と、フレキシブル基板２１の端部に接続されたメイン液晶表示パネル２２と、開口２４内に配置されるようにフレキシブル基板２１の開口２４の縁部に接続されたサブ液晶表示パネル２３と、内部にバックライトが収納され、フレキシブル基板２１を係止するケース２５とを備える。このケース２５の正面には、フレキシブル基板２１に接続されたサブ液晶表示パネル２３を保持するための一対の保持枠２６が形成されている。メイン液晶表示パネル２２をケース２５の裏面に係止した状態で、サブ液晶表示パネル２３が接続された方のフレキシブル基板２１をケース２５の端面に沿わせながら折り返すことによって、ケース２５の保持枠２６にサブ液晶表示パネル２３を収納する。そして、この状態で携帯電話機などの携帯型小型電子機器に実装する。この液晶表示モジュール２０は、ケース２５に収納されたバックライトによって、メイン液晶表示パネル２２とサブ液晶表示パネル２３とは暗所でも表示可能となる。
【特許文献１】特開２００２−９１３３５号公報
【発明の開示】
【発明が解決しようとする課題】
【０００５】
従来の液晶表示モジュール２０では、メイン液晶表示パネル２２が接続されているフレキシブル基板２１の端部をケース２５の裏面に係止した状態で、サブ液晶表示パネル２３が接続された方のフレキシブル基板２１をケース２５の端面に沿わせながら折り返して、サブ液晶表示パネル２３をケース２５の保持枠２６に係止している。このとき、フレキシブル基板２１の端部とサブ液晶表示パネル２３とはわずかに張力がかかった状態で係止されているので、開口２４の折り返し側に位置する縁部２７が浮き上がってしまうという問題が発生する。フレキシブル基板２１の縁部２７が浮き上がると、フレキシブル基板２１は液晶表示モジュール２０が実装される電子機器に配置された電子部品と接触して擦れ合い、フレキシブル基板２１の内部に配線されている回線が断線してしまうおそれが生じる。
【０００６】
そこで、本発明は、フレキシブル基板の浮き上がりを抑えることによって、フレキシブル基板の回線の断線を防ぐことが可能な液晶表示モジュールを提供することを目的とする。
【課題を解決するための手段】
【０００７】
本発明の液晶表示モジュールは、バックライトが収納されたケースの一方の面にフレキシブル基板の端部が係止され、前記フレキシブル基板を折り返して前記フレキシブル基板を前記ケースの他方の面に合わせ、前記フレキシブル基板に接続されるとともに前記フレキシブル基板に形成された開口に配置された液晶表示パネルが前記ケースの他方の面に設けられた保持枠に保持された状態で、電子機器に実装される液晶表示モジュールにおいて、前記保持枠の前記フレキシブル基板の折り返し側には、前記フレキシブル基板の開口の縁部を係止する係止部が形成されたことを特徴とする。
【発明の効果】
【０００８】
本発明の液晶表示モジュールによれば、バックライトが収納されたケースの他方の面に設けられた保持枠のうち、フレキシブル基板の折り返し側にあたる部分に係止部が形成されており、フレキシブル基板の開口の縁部はこの係止部に係止されるので、この縁部近辺のフレキシブル基板が浮き上がることを防止することができる。従って、この液晶表示モジュールを電子機器に実装した際、電子機器に配置された電子部品と接触して擦れ合うことによってフレキシブル基板の回線が断線することを防ぐことができる。
【発明を実施するための最良の形態】
【０００９】
本願の第１の発明は、バックライトが収納されたケースの一方の面にフレキシブル基板の端部が係止され、フレキシブル基板を折り返してフレキシブル基板をケースの他方の面に合わせ、フレキシブル基板に接続されるとともにフレキシブル基板に形成された開口に配置された液晶表示パネルがケースの他方の面に設けられた保持枠に保持された状態で、電子機器に実装される液晶表示モジュールにおいて、保持枠のフレキシブル基板の折り返し側には、フレキシブル基板の開口の縁部を係止する係止部が形成されたことを特徴とする。
【００１０】
バックライトが収納されたケースの他方の面に設けられた保持枠のうち、フレキシブル基板の折り返し側にあたる部分に係止部が形成されており、フレキシブル基板の開口の縁部はこの係止部に係止されるので、この縁部近辺のフレキシブル基板が浮き上がることを防止することができる。従って、この液晶表示モジュールを電子機器に実装した際、電子機器に配置された電子部品と接触して擦れ合うことによってフレキシブル基板の回線が断線することを防ぐことができる。
【００１１】
なお、より強固に固定するために、折り返し部分と開口の縁部に挟まれた部分のフレキシブル基板の裏面に両面接着シートを貼り付けてケースに貼着することもできる。
【００１２】
本願の第２の発明は、本願第１の発明において、係止部は、保持枠に形成された切り欠きであり、フレキシブル基板の開口の縁部には、切り欠きに係止される係止片が形成されたことを特徴とする。
【００１３】
フレキシブル基板の開口の縁部に係止片が形成されたことにより、この係止片によってフレキシブル基板の開口の縁部は保持枠に形成された切り欠きに係止されるので、この縁部近辺のフレキシブル基板が浮き上がることをさらに防止することができる。
【００１４】
本願の第３の発明は、本願第１の発明において、フレキシブル基板の端部には他の液晶表示パネルが接続され、この他の液晶表示パネルがケースの一方の面に係止されたことを特徴とする。
【００１５】
フレキシブル基板の端部に他の液晶表示パネルが接続されたことにより、液晶表示モジュールは、ケースの両面に液晶表示パネルを備えることとなり、この液晶表示モジュールを２画面配置の携帯電話機などに実装することができる。
【００１６】
（実施の形態１）
以下、図を用いて本発明の実施の形態に係る液晶表示モジュールの詳細を説明する。図１は本発明の実施の形態に係る液晶表示モジュールの組立前斜視図である。図２は本発明の実施の形態に係る液晶表示モジュールのフレキシブル基板部の正面図である。図３は本発明の実施の形態に係る液晶表示モジュールのケースの斜視図である。
【００１７】
図１および図２に示すように、本実施形態の液晶表示モジュール１０は、フレキシブル基板（Flexible Printed Circuit、以下、単にＦＰＣ基板という。）１と、メイン液晶表示パネル（Liquid Crystal Display、以下、単にメインＬＣＤという。）２と、サブＬＣＤ３と、バックライト（図示せず。）が収納されたケース１１とを備える。
【００１８】
図２に示すように、ＦＰＣ基板１はポリイミド製であり、このＦＰＣ基板１の裏面には、メインＬＣＤ２やサブＬＣＤ３へ電圧を供給する昇圧回路を構成するコンデンサや抵抗またはＩＣなどの電子部品８が実装されている。ＦＰＣ基板１の表面には、外部との接続用コネクタであるインタフェイスコネクタ４が設けられている。また、ＦＰＣ基板１の内部には、多数の電子回路が配線されている。
【００１９】
ＦＰＣ基板１の端部には、電子部品８が実装されているＦＰＣ基板１よりも厚さが薄く、より大きな可撓性を有する金メッキ製の接続部５ａが形成され、この接続部５ａを介してメインＬＣＤ２が接続されている。
【００２０】
ＦＰＣ基板１は、ほぼ中央部に開口６を形成しており、この開口６の端部は金メッキ製の接続部５ｂを有している。この接続部５ｂを介して、前述したメインＬＣＤ２の表示面と同一方向、つまり、表示面が図２の正面側となるようにサブＬＣＤ３が接続されている。
【００２１】
ＦＰＣ基板１の開口６は、後述するサブＬＣＤ３とこのサブＬＣＤ３をケース１１に保持する保持枠とを内部に配置できるようにサブＬＣＤ３の形状に合わせて矩形状に形成されている。また、ＦＰＣ基板１の折り返し側となるＦＰＣ基板１の開口６の縁部９には、後述するケース１１の係止部に係止される係止片７が形成されている。この係止片７は、凸型の形状を有しており、開口６の縁部９のほぼ両端に１箇所ずつ形成されている。
【００２２】
図３に示すように、バックライトが収納されたケース１１の正面側には、サブＬＣＤ３を保持するための１対の保持枠１２がそれぞれ正面視コ字状に形成されている。この保持枠１２は、サブＬＣＤ３の厚さとほぼ同じ高さを有しており、サブＬＣＤ３を保持枠１２に保持した際、サブＬＣＤ３の表示面と保持枠１２の端面とで同一平面を形成する。保持枠１２の両端部にある屈曲部１２ａ，１２ｂのうち、ＦＰＣ基板１を折り返してケース１１に係止する際、ＦＰＣ基板１の折り返し側となる屈曲部１２ｂの下端には、係止部としての切り欠き１３が形成されている。切り欠き１３は、ＦＰＣ基板１の係止片７の凸部が挿入できるように屈曲部１２ｂの端部が矩形状に切り取られている。
【００２３】
ケース１１の裏面には、メインＬＣＤ用保持枠（図示せず。）がケース１１の周縁に沿って形成されており、このメインＬＣＤ用保持枠によってメインＬＣＤ２は係止される。
【００２４】
なお、このケース１１は、メインＬＣＤ２とほぼ同じ大きさを有し、バックライトとほぼ同じ厚さで形成されている。
【００２５】
次に、メインＬＣＤ２とサブＬＣＤ３が接続されたＦＰＣ基板１のケース１１への取り付け方について図４および図５を用いて説明する。図４はＦＰＣ基板１をケース１１へ取り付けた状態を示す斜視図であり、図５（ａ）は図４の右側面図、（ｂ）は（ａ）のＰ部拡大図である。
【００２６】
まず、メインＬＣＤ２をケース１１のメインＬＣＤ用保持枠に嵌め込んで係止する。そして、ＦＰＣ基板１の接続部５ａをケース１１の端面に沿わせながら折り返し、ケース１１の保持枠１２がＦＰＣ基板１の開口６内に位置するようにＦＰＣ基板１をケース１１の表面に合わせる。そして、サブＬＣＤ３を保持枠１２に嵌め込む。このとき、図４に示すように、メインＬＣＤ用保持枠に係止されたメインＬＣＤ２と保持枠１２に保持されているサブＬＣＤ３とは、わずかに張力がかかった状態でケース１１に取り付けられているため、開口６の縁部９および縁部９近辺であるＦＰＣ基板１のＳ部が浮き上がろうとする。そこで、図５に示すように、ＦＰＣ基板１の係止片７を保持枠１２の切り欠き１３へと押し込んで係止させると、ＦＰＣ基板１のＳ部の浮き上がりは切り欠き１３によって抑えられ、Ｓ部をケース１１の表面に密着させることができる。
【００２７】
以上のように、本実施形態の液晶表示モジュール１０は、ＦＰＣ基板１の折り返し側となる開口６の縁部９に係止片７を形成し、ケース１１の保持枠１２に切り欠き１３を形成したことによって、ＦＰＣ基板１の浮き上がりを抑えることができる。従って、この液晶表示モジュール１０を携帯電話などの携帯型小型電子機器に実装した場合でも、電子機器に配置された電子部品と接触して擦れ合うことによってＦＰＣ基板の内部に配線されている回線の断線を防止することができる。
【００２８】
なお、本実施形態における切り欠き１３は、保持枠１２の屈曲部１２ｂの端部から矩形状に切り取った構造であったが、これに限らず、係止片７を係止することができれば屈曲部１２ｂの板厚の半分程度を掘り込んだ構造としてもよい。また、係止片７を係止することができれば切り欠き１３はどのような大きさを有していてもよい。ただし、あまり大きな切り欠き１３を形成すると、係止片７が容易に切り欠き１３から外れてしまうため、図５（ｂ）に示すように、係止片７よりもわずかに大きい程度とすることが望ましい。
【００２９】
また、本実施形態では、保持枠１２に切り欠き１３を設け、ＦＰＣ基板１に係止片７を設けたが、他の実施形態として、図６に示すように、保持枠１２の下部から突出して形成された係止部１４を設けてもよい。この係止部１４によれば、ＦＰＣ基板１の開口６の縁部９を保持枠１２の係止部１４とケース１１の表面とで挟み込んで係止することができるので、ＦＰＣ基板１は係止片７が形成されていない従来のものを使用することができる。また、本実施形態では、切り欠き１３は一対の保持枠１２の屈曲部１２ｂにそれぞれ設けたが、他の実施形態として、図７に示すように、保持枠１５の屈曲部１６を連続して形成し、この屈曲部１６に切り欠き１７を設けてもよい。その場合、ＦＰＣ基板１の係止片も切り欠き１７に係止されるように開口６の縁部９全体に形成する。
【００３０】
なお、本実施形態のサブＬＣＤ３は矩形状であったので、それにともないＦＰＣ基板１の開口６も矩形状に形成されていたが、サブＬＣＤの形状によって開口の形状も変更される。この場合においても、係止片はＦＰＣ基板の折り返し側となる開口の縁部に設けることによって、本実施形態と同様の効果を得ることができる。
【産業上の利用可能性】
【００３１】
本発明の液晶表示モジュールは、ＦＰＣ基板の浮き上がりを抑えることによって、ＦＰＣ基板の回線の断線を防ぐことができるので、液晶表示モジュールを実装する携帯電話などの携帯型小型電子機器の表示装置として有用である。
【図面の簡単な説明】
【００３２】
【図１】本発明の実施の形態に係る液晶表示モジュールの組立前斜視図
【図２】本発明の実施の形態に係る液晶表示モジュールのフレキシブル基板部の正面図
【図３】本発明の実施の形態に係る液晶表示モジュールのケースの斜視図
【図４】ＦＰＣ基板をケースへ取り付けた状態を示す斜視図
【図５】（ａ）は図４の右側面図、（ｂ）は（ａ）のＰ部拡大図
【図６】他の実施形態に係るケースの斜視図
【図７】他の実施形態に係るケースの斜視図
【図８】従来の液晶表示モジュールの分解斜視図
【図９】（ａ）は従来の液晶表示モジュールの正面側斜視図、（ｂ）は右側面図
【符号の説明】
【００３３】
１  ＦＰＣ基板
２  メインＬＣＤ
３  サブＬＣＤ
４  インタフェイスコネクタ
５ａ，５ｂ  接続部
６  開口
７  係止片
８  電子部品
９  縁部
１０  液晶表示モジュール
１１  ケース
１２，１５  保持枠
１２ａ，１２ｂ，１６  屈曲部
１３，１７  切り欠き
１４  係止部
【図１】
2006276613.tif 000003
【図２】
2006276613.tif 000004
【図３】
2006276613.tif 000005
【図４】
2006276613.tif 000006
【図５】
2006276613.tif 000007
【図６】
2006276613.tif 000008
【図７】
2006276613.tif 000009
【図８】
2006276613.tif 000010
【図９】
2006276613.tif 000011